(57)【要約】  植物の成長を促進させ、かつ、植物の育成環境を良好とすることができる収納家具を提供することを目的とする。  植物栽培収納家具１は、壁面の少なくとも一部が木材で構成されたキャビネット本体１２と、キャビネット本体１２内に設置されるトレー３４と、キャビネット本体１２内に設置され、植物の栽培に適した波長の光を照射する光源体３８と、少なくともキャビネット本体１２内壁面上に形成され、前記光源の波長の光で光触媒機能を発揮する光触媒層２０とを含み構成されている。光源体３８は、波長４４０ｎｍ〜４７０ｎｍを含む可視光を主として照射するＬＥＤライトであり、光触媒層２０は、波長０ｎｍ〜５４０ｎｍの光で光触媒機能を発揮する酸化チタン系光触媒の塗布層である。
2017033523.tif 000002
【特許請求の範囲】
【請求項１】
壁面の少なくとも一部が木材で構成された筐体と、
前記筐体内に設置される水耕栽培用トレーと、
前記筐体内に設置され、植物の栽培に適した波長の光を照射する光源と、
少なくとも前記筐体の内壁面上に形成され、前記光源の波長の光で光触媒機能を発揮する触媒層と
を有する収納家具。
【請求項２】
前記光源は、波長４４０ｎｍ〜４７０ｎｍを含む可視光を主として照射するＬＥＤライトであり、
前記触媒層は、波長０ｎｍ〜５４０ｎｍの光で光触媒機能を発揮する酸化チタン系光触媒の塗布層である
請求項１に記載の収納家具。
【請求項３】
前記筐体は、開閉可能な扉を含み、
前記扉は、開口部を有し、
前記扉の開口部に設けられた透明パネル
をさらに有し、
前記水耕栽培用トレーは、前記扉の開口部を介して見える位置に配置されている
請求項２に記載の収納家具。
【請求項４】
前記筐体の内壁面は防水処理が施されており、
前記触媒層は、防水処理が施された内壁面に、銀を含む光触媒コート剤を塗布して形成されている
請求項３に記載の収納家具。
【請求項５】
前記触媒層は、防水処理が施された内壁面に、界面活性剤を混合した光触媒コート剤を塗布して形成されている
請求項４に記載の収納家具。
【請求項６】
前記水耕栽培用トレーは、前記筐体内に複数段設けられ、
前記筐体の側壁面又は奥壁面に設けられ、外部と換気するためのファン
をさらに有する請求項５に記載の収納家具。
【請求項７】
木製収納家具の内壁面に、波長０ｎｍ〜５４０ｎｍの光で光触媒機能を発揮する光触媒コート剤を塗布する工程と、
前記木製収納家具の内部に、水耕栽培用トレーを設置する工程と、
前記木製収納家具の内部に、波長４４０ｎｍ〜４７０ｎｍを含む可視光を主に照射する光源を設置する工程と
を有する製造方法。
【発明の詳細な説明】
【技術分野】
【０００１】
本発明は、収納家具、及び、製造方法に関する。
【背景技術】
【０００２】
例えば、特許文献１には、植物の育成に用いられる植物育成用容器であって、光触媒による有機化合物の分解により、植物に二酸化炭素を供給する機能を有することを特徴とする植物育成用容器が開示されている。【０００３】
また、特許文献２には、少なくとも植物の根の一部を露出させた状態で当該植物を支持するように構成されている支持部材と、給水装置と、案内部材であって、前記給水装置により供給される水を前記植物の根の露出部分に接触させながら当該案内部材の表面に沿って上方から下方に案内するように構成されている案内部材とを備えていることを特徴とする植物栽培装置が開示されている。【０００４】
また、特許文献３には、上部開口を有する有底容器状をなすとともに、上部開口の周縁に側方へ突出するフランジを備え、容器状をなす内部に植物とその保持又は育成のための被収容媒体が収容されるプランターと、そのプランターの前記フランジを着座させる上部開口端面を有し、上側部分においてその容器状のプランターの全体を没入させる筒状ないし箱状の形態をなし、前記プランターの底部より下側の空間が所定の物品を収納する収納部とされ、その収納部に対する物品の収納及び取出しのための開口が前板によって開放又は閉鎖状態とされる本体と、を備え、前記プランターが前記本体の上側部分に没入してその本体の上部開口端面に着座する前記フランジのみが外部に現れ、かつそのフランジの平面的外形、本体の横断面外形が互いに対応する形状とされたことを特徴とするプランター付き収納家具が開示されている。【０００５】
また、特許文献４には、上面、下面、及び側面にそれぞれ設けられる各仕切りで形成された閉空間に、植物の養水を貯留する貯留槽を有する水耕栽培器を収納するための収納構造であって、前記仕切りには、第１の換気口及び第２の換気口が設けられ、前記閉空間には、前記第１の換気口、前記第２の換気口、及び前記第１の換気口と前記第２の換気口とをつなぐ空気流路により、換気路が形成されており、前記第１の換気口側には、前記水耕栽培器の前記植物に向けて光を照射する照明器具が配置され、前記第２の換気口側であって前記空気流路の途中には、前記水耕栽培器が配置されていることを特徴とする収納構造が開示されている。
【先行技術文献】
【特許文献】
【０００６】
【特許文献１】特開２００７−１１号公報
【特許文献２】特開２０１２−１７９０１０号公報
【特許文献３】特開２０１１−２２９５７８号公報
【特許文献４】特開２０１２−１６２７４９号公報
【発明の概要】
【発明が解決しようとする課題】
【０００７】
本発明は、植物の成長を促進させ、かつ、植物の育成環境を良好とすることができる収納家具を提供することを目的とする。
【課題を解決するための手段】
【０００８】
本発明に係る収納家具は、壁面の少なくとも一部が木材で構成された筐体と、前記筐体内に設置される水耕栽培用トレーと、前記筐体内に設置され、植物の栽培に適した波長の光を照射する光源と、少なくとも前記筐体の内壁面上に形成され、前記光源の波長の光で光触媒機能を発揮する触媒層とを有する。【０００９】
好適には、前記光源は、波長４４０ｎｍ〜４７０ｎｍを含む可視光を主として照射するＬＥＤライトであり、前記触媒層は、波長０ｎｍ〜５４０ｎｍの光で光触媒機能を発揮する酸化チタン系光触媒の塗布層である。【００１０】
好適には、前記筐体は、開閉可能な扉を含み、前記扉は、開口部を有し、前記扉の開口部に設けられた透明パネルをさらに有し、前記水耕栽培用トレーは、前記扉の開口部を介して見える位置に配置されている。【００１１】
好適には、前記筐体の内壁面は防水処理が施されており、前記触媒層は、防水処理が施された内壁面に、界面活性剤を混合した光触媒コート剤を塗布して形成されている。【００１２】
好適には、前記水耕栽培用トレーは、前記筐体内に複数段設けられ、前記筐体の側壁面又は奥壁面に設けられ、外部と換気するためのファンをさらに有する。【００１３】
また、本発明に係る製造方法は、木製収納家具の内壁面に、波長０ｎｍ〜５４０ｎｍの光で光触媒機能を発揮する光触媒コート剤を塗布する工程と、前記木製収納家具の内部に、水耕栽培用トレーを設置する工程と、前記木製収納家具の内部に、波長４４０ｎｍ〜４７０ｎｍを含む可視光を主に照射する光源を設置する工程とを有する。
【発明の効果】
【００１４】
本発明によれば、植物の成長を促進させ、かつ、植物の育成環境を良好とすることができる。
【図面の簡単な説明】
【００１５】
【図１】実施例１に係る植物栽培収納家具１の構成を例示する斜視図である。
【図２】実施例１に係るキャビネット１０を例示する正面図である。
【図３】実施例１に係るキャビネット１０を例示する背面図である。
【図４】実施例１に係るキャビネット１０を例示する左側面図である。
【図５】実施例１に係るキャビネット１０を例示する右側面図である。
【図６】実施例１に係るキャビネット１０を例示する平面図である。
【図７】実施例１に係るキャビネット１０を例示する底面図である。
【図８】実施例１に係るキャビネット１０からラック３０を取り出した状態を例示する図である。
【図９】実施例１に係るラック３０の構成を例示する図である。
【図１０】物栽培収納家具１の作用を説明する模式図である。
【図１１】植物栽培収納家具１の製造方法（Ｓ１０）を説明するフローチャートである。
【図１２】実施例１に係るキャビネット１０にラック３０を収納した状態を例示する図である。
【図１３】実施例２に係るキャビネット１０の構成を例示する斜視図である。
【図１４】実施例２に係るキャビネット１０を例示する正面図である。
【図１５】キャビネット１０の内部における背面板１２ｇ側の見え方を説明する模式図である。
【図１６】変形例１に係る食物栽培収納家具２の斜視図である。
【図１７】変形例１に係る食物栽培収納家具２の正面図である。
【図１８】変形例１に係る食物栽培収納家具２の背面図である。
【図１９】変形例１に係る食物栽培収納家具２の右側面図である。
【図２０】変形例１に係る食物栽培収納家具２の平面図及び底面図である。
【図２１】変形例１に係る食物栽培収納家具２の内部を例示する断面図である。
【発明を実施するための形態】
【００１６】
以下、本発明の実施形態を、図面を参照して説明する。本明細書及び図面において、実質的に同一の機能、構成を有する要素については、同一の符号を付することにより重複説明を省略し、また本発明に直接関係のない要素は図示を省略する。
【実施例１】
【００１７】
まず、植物栽培収納家具１におけるキャビネット１０と、ラック３０との構成を説明する。
図１は、実施例１に係る植物栽培収納家具１の構成を例示する斜視図である。
図１に例示するように、植物栽培収納家具１は、キャビネット１０と、ラック３０とで構成されている。植物栽培収納家具１は、キャビネット１０の内部にラック３０を収納する。なお、植物栽培収納家具１は、本発明に係る収納家具の一例である。【００１８】
［キャビネット１０］
図１に例示するように、キャビネット１０は、キャビネット本体１２と、換気用ファン１６とを含み構成されている。
（キャビネット本体１２）
図２〜図７は、実施例１に係るキャビネット１０の６面図を例示する図であり、図２は、正面図、図３は、背面図、図４は、左側面図、図５は、右側面図、図６は、平面図、図７は、底面図である。
キャビネット本体１２は、本発明に係る筐体の一例である。
図１に例示するように、キャビネット本体１２は、左側板１２ａ、右側板１２ｂ、大扉１２ｃ、小扉１２ｄ、底板１２ｅ、天板１２ｆ、及び、背面板１２ｇで構成されている。キャビネット本体１２は、壁面の少なくとも一部が木材で構成されおり、本例のキャビネット本体１２は、キャビネット全体が木材で構成されているため、左側板１２ａ、右側板１２ｂ、大扉ｃ、小扉１２ｄ、底板１２ｅ天板１２ｆ、及び、背面板１２ｇは、木材で構成されている。キャビネット本体１２は、木材で構成されることにより、キャビネット１０内部の保温効果、及び、調湿効果を期待することができる。また、キャビネット本体１２は、木材で構成されることにより、室内に配置しても他の家具と調和することが期待できる。また、キャビネット本体１２は、その内壁面上に、光触媒層２０（後述）が形成されている。【００１９】
また、図２〜７に例示するように、キャビネット本体１２の高さは、例えば、１５０ｃｍ〜１６５ｃｍであり、本例のキャビネット本体１２の高さは、１６１．５ｃｍである。また、キャビネット本体１２の横幅は、例えば、７２ｃｍ〜８０ｃｍであり、本例のキャビネット本体１２の横幅は、７７．９ｃｍである。また、キャビネット本体１２の奥行幅は、例えば、３６ｃｍ〜４５ｃｍであり、本例のキャビネット本体１２の奥行幅は、４０．５ｃｍである。【００２０】
また、図４および図５に例示するように、キャビネット本体１２における左側板１２ａ、及び、右側板１２ｂは、キャビネット本体１２における側面部分の板材であり、対向して配置されている。左側板１２ａ、及び、右側板１２ｂは、略同じ形状であり、既定の間隔をあけて、換気用ファン１６を複数配置されている。なお、本例の左側板１２ａ、及び、右側板１２ｂは、ラック３０の段数に合わせて換気用ファン１６を配置されており、ラック３０が３段あるため、例えば、３６．７ｃｍの間隔で換気用ファン１６を３つ配置されている。【００２１】
また、図２に例示するように、キャビネット本体１２における大扉ｃ、及び、小扉１２ｄは、２枚一組の扉であり、左側板１２ａ、及び、右側板１２ｂと接続されている。大扉ｃ、及び、小扉１２ｄは、接続部分を軸として、それぞれ回転自在に接続されている。大扉１２ｃ、及び、小扉１２ｄは、回転自在に接続されているため、２枚一組の扉が開閉可能な両開きとなっている。なお、大扉１２ｃ、及び、小扉１２ｄは、１枚の扉で構成し、左側板１２ａ、及び、右側板１２ｂのうちどちらか一方の接続部分を軸として、回転自在に接続してもよい。また、大扉１２ｃ、及び、小扉１２ｄには、開閉するための取手が取り付けられている。【００２２】
また、大扉１２ｃは、２枚一組の大扉１２ｃそれぞれに開口部１３を備え、この開口部１３に透明なパネル材１４を配置されている。
開口部１３は、大扉１２ｃを貫通して設けられた開口であり、その開口形状が例えば、多角状、又は、円形状であってもよい。本例の開口部１３は、四角状である。
パネル材１４は、透明なガラス材、または、透明な合成樹脂材で形成された板材である。パネル材１４は、開口部１３に取り付けられ、開口部１３の形状と略同じ形状に形成されている。【００２３】
図２に例示するように、開口部１３およびパネル材１４は、大扉１２ｃに配置することにより、使用者に対して、キャビネット本体１２の内部を見せることができる。開口部１３およびパネル材１４は、ラック３０に配置された複数のトレー３４の見える位置に設けられる。開口部１３およびパネル材１４は、配置された各トレー３４の見える位置にそれぞれ設けてもよいし、各トレー３４が見渡せるよう設けてもよい。なお、本例の開口部１３およびパネル材１４は、各トレー３４が見渡せるよう設けたものであり、開口部１３およびパネル材１４の大きさは、ラック３０に配置された３つのトレー３４が見えるよう、縦幅９５ｃｍ〜１４１ｃｍ、横幅２４ｃｍ〜３５ｃｍとなっている。なお、開口部１３は、本発明に係る開口部の一例であり、パネル材１４は、本発明に係る透明パネルの一例である。【００２４】
また、図２〜図５および図７に例示するように、キャビネット本体１２における底板１２ｅは、キャビネット本体１２の底面に配置された板材である。底板１２ｅの板厚は、例えば、１.８ｃｍ〜３ｃｍのであり、本例での底板１２ｅの板厚は、２．５ｃｍである。底板１２ｅは、設置面（キャビネット１０を設置する面）と対向する面側（キャビネット１０の外側）に脚部が設けられている。底板１２ｅに設けられた脚部は、底板１２ｅの平面部分が設置面と離間するために設けられている。本例の脚部は、底板１２ｅを設置面から１２ｃｍ程度の位置に離間させるよう設けられている。また、底板１２ｅは、脚部の代わりに、キャスターを四隅に配置してもよい。【００２５】
また、図２〜図６に例示するように、キャビネット本体１２における天板１２ｆは、キャビネット本体１２の天面に配置された平な板材である。天板１２ｆの板厚は、例えば、１.８ｃｍ〜３ｃｍのであり、本例での天板１２ｆの板厚は、２.５ｃｍである。天板１２ｆは、平な板材であるため、設置されたキャビネット１０の上に装飾品等を載置することができる。【００２６】
また、図３に例示するように、キャビネット本体１２における背面板１２ｇは、キャビネット本体１２の背面に配置された平な板材である。背面板１２ｇの板厚は、例えば、１.８ｃｍ〜３ｃｍのであり、本例での背面板１２ｇの板厚は、２.５ｃｍである。背面板１２ｇは、換気用ファン１６を配置されてもよい。【００２７】
（換気用ファン１６）
図８は、実施例１に係るキャビネット１０からラック３０を取り出した状態を例示する図である。
図１及び図８に例示するように、換気用ファン１６は、キャビネット１０の外部から空気を取り入れ、キャビネット１０の内部の空気を外部に排出するための換気用のファンである。
換気用ファン１６は、側壁面（左側板１２ａ、及び、右側板１２ｂ）、または、奥壁面（背面板１２ｇ）に設けられている。本例の換気用ファン１６は、左側板１２ａ、及び、右側板１２ｂに既定の間隔をあけて複数設けられている。また、左側板１２ａに設けられた換気用ファン１６と、右側板１２ｂに設けられた換気用ファン１６とは、互いに対向する位置にそれぞれ設けられている。換気用ファン１６は、ラック３０に備えられた電源装置３６とケーブルまたはコードを介して電気的に接続されており、電源装置３６から供給される電力により動作する。
このように、キャビネット１０は、キャビネット本体１２と換気用ファン１６とで構成されている。【００２８】
［ラック３０］
図９は、実施例１に係るラック３０の構成を例示する図である。
図１および図９に例示するように、ラック３０は、ラック本体３２、トレー３４、電源装置３６、光源体３８、酸素供給ポンプ３９、及び、タイマー４０を含み構成されている。
（ラック本体３２）
ラック本体３２は、例えば、金属部材で構成された枠体であり、キャビネット本体１２の内部に収納できる大きさに構成されている。ラック本体３２は、電源装置３６、及び、光源体３８を備えている。ラック本体３２は、トレー３４、及び、電源装置３６を収納する複数の収納空間を備えており、本例のラック本体３２は、トレー３４を収納する空間を３つ備え、最下に電源装置３６収納する空間を備えている。
また、ラック本体３２の高さは、例えば、１３９ｃｍ〜１４３ｃｍであり、本例のラック本体３２の高さは、１４１ｃｍである。また、ラック本体３２の横幅は、例えば、６４ｃｍ〜６８ｃｍであり、本例のラック本体３２の横幅は、６６ｃｍである。また、ラック本体３２の奥行幅は、例えば、３１ｃｍ〜３５ｃｍであり、本例のラック本体３２の奥行幅は、３３ｃｍである。また、ラック本体３２のうちトレー３４を配置する各段の収納空間の高さは、例えば３５ｃｍ〜３９ｃｍであり、本例のラック本体３２のトレー３４を配置する収納空間の高さは、３７ｃｍである。また、ラック本体３２のうち電源装置３６収納する段の収納空間の高さは、例えば２８ｃｍ〜３２ｃｍであり、本例のラック本体３２の電源装置３６収納する段の収納空間の高さは、３０ｃｍである。【００２９】
（トレー３４）
トレー３４は、本発明に係る水耕栽培用トレーの一例である。
トレー３４は、合成樹脂で形成された水耕栽培用のトレー（トレイ）であり、栽培する植物を収める容器である。トレー３４は、キャビネット本体１２の内部に収納できる大きさに構成され、ラック本体３２に取り外し自在に設置される。キャビネット本体１２の内部に収納されたトレー３４は、開口部１３を介して見える位置に配置されている。本例のトレー３４は、キャビネット本体１２の内部に収納されたラック本体３２に３段収納される。
また、トレー３４は、栽培する植物を収める位置を決める仕切り材３４ａと、水耕栽培用の水を貯留する容器３４ｂとを含み、組み合せた状態でラック本体３２に収納される。
また、トレー３４の高さは、例えば、７８ｃｍ〜８２ｃｍであり、本例のトレー３４の高さは、８０ｃｍである。また、トレー３４の横幅は、例えば、５８ｃｍ〜６２ｃｍであり、本例のトレー３４の横幅は、６０ｃｍである。また、トレー３４の奥行幅は、例えば、２９ｃｍ〜３３ｃｍであり、本例のトレー３４の奥行幅は、３１ｃｍである。【００３０】
（電源装置３６）
電源装置３６は、ラック本体３２に取り付けられ、換気用ファン１６、光源体３８、酸素供給ポンプ３９、及び、タイマー４０と、ケーブルまたはコードを介して電気的に接続される。電源装置３６は、換気用ファン１６、光源体３８、酸素供給ポンプ３９、及び、タイマー４０に電力を供給する電源である。なお、電源装置３６は、酸素供給ポンプ３９、及び、タイマー４０を別途備えてもよいし、一体的に酸素供給ポンプ３９、及び、タイマー４０を内蔵する構成としてもよい。本例の電源装置３６は、酸素供給ポンプ３９、及び、タイマー４０を内蔵する。
また、電源装置３６は、蓄電池を備えてもよいし、外部電源（既存のコンセント、または、太陽光発電装置）から電力を受けてその電力を換気用ファン１６、及び、光源体３８に供給してもよい。
また、電源装置３６は、ラック本体の各段に設けた光源体３８を個々に電力供給の入り切りの管理を行うことができ、タイマー４０により時間管理することもできる。また、電源装置３６は、酸素供給ポンプ３９に電力供給の入り切りの管理を行うことができ、タイマー４０により時間管理を行うこともできる。【００３１】
（光源体３８）
光源体３８は、本発明に係る光源の一例である。
光源体３８は、キャビネット本体１２の内部に設置され、植物の栽培に適した波長の光を照射する光源体である。本例の光源体３８は、ラック本体３２に取り付けられ、キャビネット本体１２の内部に設置されている。光源体３８は、トレー３４に配置された植物に光を照射するために、ラック本体３２のうち、トレー３４を配置する各段に配置され、トレー３４に配置された植物と対向する位置に配置される。
配置される光源体３８は、例えば、電球、蛍光灯、発光ダイオード（ＬＥＤ）、有機ＥＬであり、本例の光源体３８は、ＬＥＤのライトである。光源体３８は、可視光線（３６０ｎｍ〜８３０ｎｍ）を照射し、波長４４０ｎｍ〜４７０ｎｍを含む可視光を主として照射するＬＥＤのライトである。光源体３８は、波長４４０ｎｍ〜４７０ｎｍを含む可視光を主として照射することにより、紫外線の波長領域を照射する光源に比べて、キャビネット１０内部の劣化や育成する植物の組織変性等を防止する。
また、光源体３８は、電源装置３６と電気的に接続され、電源装置３６から電力の供給を受けて発光する。【００３２】
（酸素供給ポンプ３９）
酸素供給ポンプ３９は、電源装置３６とケーブルまたはコードを介して電気的に接続される、または、電源装置３６と一体的に構成される。酸素供給ポンプ３９は、電源装置３６から供給された電力で動作する。酸素供給ポンプ３９は、トレー３４に貯留された水耕栽培用の水に酸素を供給する空気供給機である。
酸素供給ポンプ３９は、チューブを介して、キャビネット１０の内部に配置されたそれぞれのトレー３４における容器３４ｂと接続されている。酸素供給ポンプ３９は、チューブ内に酸素（いわゆる空気）を注入し、容器３４ｂに貯留された水耕栽培用の水に酸素を供給する。これにより、酸素供給ポンプ３９は、トレー３４に貯留された水の中に酸素を供給することで、トレー３４に配置された植物における水中の酸欠を防止し成長を促す。
（タイマー４０）
タイマー４０は、電源装置３６とケーブルまたはコードを介して電気的に接続される、または、電源装置３６と一体的に構成される。タイマー４０は、例えば、電源装置３６から換気用ファン３６、光源体３８、及び、酸素供給ポンプ３９に電力を供給する時間の管理を行う。時間の管理とは、例えば、動作の入／切の時間、または、連続動作時間を管理する。
このように、ラック３０は、ラック本体３２、トレー３４、電源装置３６、光源体３８、酸素供給ポンプ３９、及び、タイマー４０を含み構成されている。【００３３】
次に、キャビネット１０における内壁面上に形成された光触媒層２０を説明する。
（光触媒層２０）
光触媒層２０は、本発明に係る触媒層の一例である。
図８に例示するように、光触媒層２０は、キャビネット本体１２の内壁面に形成された光触媒の塗布層である。光触媒層２０は、左側板１２ａ、右側板１２ｂ、大扉１２ｃ、小扉１２ｄ、底板１２ｅ、天板１２ｆ、及び、背面板１２ｇにおけるキャビネット本体１２の内壁面側に形成されている。また、光触媒層２０は、パネル材１４にも形成してもよい。光触媒層２０は、パネル材１４にも形成することにより、例えば、パネル材１４の防曇効果、防汚効果が期待できる。
光触媒層２０は、光触媒物質を塗布し形成された光触媒の塗布層であり、光触媒層２０は、酸化チタン系の光触媒を塗布し形成された層である。この光触媒層２０は、例えば、０ｎｍ〜５４０ｎｍの波長領域において光触媒として機能する。なお、本例の光触媒層２０は、可視光応答型の光触媒で形成された層であり、室内環境に配置された蛍光灯や屋外からの光であっても光触媒として機能する。そのため、光触媒層２０は、主に３８０ｎｍ〜５４０ｎｍの波長領域において光触媒として機能する。また、光触媒層２０は、光源体３８がＬＥＤである場合、より光触媒反応が強くなる波長領域は、４４０ｎｍ〜４７０ｎｍの波長領域である。また、光触媒層２０は、光源体３８が例えば蛍光灯や自然光である場合、より光触媒反応が強くなる波長領域は、３８０ｎｍ〜４００ｎｍの波長領域である。光触媒層２０は、上記光触媒反応が強くなる波長領域から徐々に光触媒反応が弱くなるが５４０ｎｍまで光触媒として機能する。光触媒層２０は、光源体３８の照射する可視光が照射されることにより、光触媒として効率的に機能する。なお、光触媒層２０における光触媒機能として、例えば、抗菌・抗カビ機能、空気浄化機能、消臭機能、防汚機能、防曇機能、および、ＶＯＣ対策機能があり、効果として、例えば、抗菌・抗カビ効果、空気浄化効果、消臭効果、防汚効果、防曇効果、および、ＶＯＣ対策効果が期待できる。【００３４】
光触媒層２０は、キャビネット本体１２の組立前の各部材（左側板１２ａ、右側板１２ｂ、大扉１２ｃ、小扉１２ｄ、底板１２ｅ、天板１２ｆ、及び、背面板１２ｇ）それぞれに光触媒を塗布し形成される、または、組み立てた状態のキャビネット本体１２の内壁面に光触媒を塗布し形成される。本例の植物栽培収納家具１は、キャビネット本体１２の組立前の各部材それぞれに光触媒を塗布し、光触媒層２０を形成された各部材を組み立て構成する。
光触媒層２０は、組立前の各部材のうち、例えば木材である左側板１２ａに光触媒層を形成される場合、左側板１２ａの内壁面側に防水剤を塗布し乾燥後（防水処理）、防水処理を施した面に、さらに少量の界面活性剤を混合した光触媒コート剤を塗布し乾燥させることにより、左側板１２ａに光触媒層２０を形成される。
光触媒層２０は、少量の界面活性剤を光触媒コート剤に混合することにより、防水処理された木材である左側板１２ａの塗布面において、防水作用により撥かれることなく光触媒コート剤を塗布し、安定した光触媒層２０を形成することができる。この光触媒コート剤とは、例えば、サガンコート（登録商標）光触媒コーティング剤であるＴＰＸ（登録商標）−ＨＬである。
このように、光触媒層２０は、本来、基材として、塗装面、クロス、珪藻土・石膏ボード、化粧パネル、及び、タイル等にしか形成できなかったが、少量の界面活性剤を光触媒コート剤に混合することにより、防水処理済みの木材にも光触媒層２０を形成することができる。【００３５】
次に、植物栽培収納家具１の作用を説明する。
図１０は、植物栽培収納家具１の作用を説明する模式図である。
図１０に例示するように、植物栽培収納家具１は、光触媒層２０を形成されたキャビネット１０の内部に、ラック３０を収納している。収納されたラック本体３２には、植物５０を配置したトレー３４を配置されている。また、ラック本体３２には、トレー３４と対向する位置に光源体３８を配置されている。ここで、植物５０の光合成において有効な光の波長は、波長４４０ｎｍ〜４６０ｎｍと、波長６５０ｎｍ〜６７０ｎｍとである。植物５０とは、例えば、葉菜類（葉物野菜）であり、小松菜、チンゲン菜、ほうれん草、レタス等がある。
植物栽培収納家具１は、光源体３８から植物５０に光３８ａを照射する。植物栽培収納家具１は、光源体３８から波長領域４４０ｎｍ〜４７０ｎｍを含む可視光である光３８ａを植物５０に照射することにより、植物５０の光合成を促すことができる。さらに、植物栽培収納家具１は、光源体３８から光３８ａを、光触媒層２０に照射することにより、光触媒反応を効率的に促すことができる。
このように、植物栽培収納家具１は、光源体３８から照射される長領域４４０ｎｍ〜４７０ｎｍを含む可視光を植物５０と光触媒層２０とに照射することにより、植物５０の光合成と光触媒層２０の触媒機能とを効率的に作用させることができる。【００３６】
図１１は、植物栽培収納家具１の製造方法（Ｓ１０）を説明するフローチャートである。
図５に例示するように、ステップ１００（Ｓ１００）において、作業者は、キャビネット本体１２の内壁面に防水剤を塗布する。具体的には、作業者は、組立前の各部材それぞれに防水剤を塗布する。作業者は、木製であるキャビネット本体１２に防水剤を塗布することにより、水によるキャビネット本体１２の腐食を防止する。
ステップ１０５（Ｓ１０５）において、作業者は、キャビネット本体１２の内壁面に塗布された防水剤を乾燥させる。具体的には、作業者は、組立前の各部材それぞれに塗布した防水剤を乾燥させる。【００３７】
ステップ１１０（Ｓ１１０）において、作業者は、少量の界面活性剤を光触媒コート剤に混合する。作業者は、キャビネット１２の各部材における防水処理された塗布面に光触媒コート剤を塗布し、光触媒コート剤が撥かれずに塗布面に塗布できるよう、光触媒コート剤に混合する界面活性剤の混合量を調節する。【００３８】
ステップ１１５（Ｓ１１５）において、作業者は、キャビネット本体１２の防水剤を塗布・乾燥した内壁面に、界面活性剤を混合した光触媒コート剤を塗布する。具体的には、作業者は、組立前の各部材それぞれに、波長０ｎｍ〜５４０ｎｍの光で光触媒機能を発揮する光触媒コート剤を塗布する。光触媒コート剤は、波長０ｎｍ〜５４０ｎｍのうち、３８０ｎｍ〜５４０ｎｍの波長領域において光触媒機能を発揮する。また、光触媒コート剤は、光源がＬＥＤである場合、４４０ｎｍ〜４７０ｎｍの波長領域において光触媒機能を発揮し、光源体３８が例えば蛍光灯や自然光である場合、３８０ｎｍ〜４００ｎｍの波長領域において光触媒機能を発揮する。
また、作業者は、各部材の塗布面において、界面活性剤を混合した光触媒コート剤を塗布することにより、撥かれずに塗布することができる。
ステップ１２０（Ｓ１２０）において、作業者は、キャビネット本体１２の内壁面に塗布された光触媒コート剤を乾燥させ、光触媒層２０を形成する。具体的には、作業者は、組立前の各部材それぞれに塗布した光触媒コート剤を乾燥させ、光触媒層２０を形成する。【００３９】
ステップ１２５（Ｓ１２５）において、作業者は、キャビネット１０を組み立てる。
触媒層２０を形成したキャビネット本体１２の各部品（左側板１２ａ、右側板１２ｂ、大扉１２ｃ、小扉１２ｄ、底板１２ｅ、天板１２ｆ、及び、背面板１２ｇ）と、パネル材１４と、換気用ファン１６とを組み立てる。作業者は、キャビネット本体１２を組み立てた後に、大扉１２ｃに設けられた開口部１３にパネル材１４を配置する。また、作業者は、左側板１２ａ、及び、右側板１２ｂそれぞれに換気用ファン１６を配置する。
ステップ１３０（Ｓ１３０）において、作業者は、ラック本体３２を組み立てる。
作業者は、組み立てたラック本体３２をキャビネット１０の内部に設置する。【００４０】
図１２は、キャビネット１０にラック３０を収納した状態を例示する図である。
ステップ１３５（Ｓ１３５）において、図１２に例示するように、作業者は、キャビネット１０の内部に設置されたラック本体３２にトレー３４、電源装置３６、光源体３８、酸素供給ポンプ３９、及び、タイマー４０を配置する。
作業者は、ラック本体３２に設置された電源装置３６と、キャビネットの左側板１２ａ、及び、右側板１２ｂに設置された複数の換気用ファン１６とをケーブルまたはコードで接続する。また、作業者は、電源装置３６と、ラック本体３２に設置された光源体３８とをケーブルまたはコードで接続する。また、作業者は、光源体３８をトレー３４と対向する、トレー３４に配置された植物５０に可視光の当たる位置に配置する。また、作業者は、電源装置３６と、ラック本体３２に設置された酸素供給ポンプ３９、及び、タイマー４０とをケーブルまたはコードで接続する。作業者は、トレー３４をラック本体３２に配置し、酸素供給ポンプ３９とトレー３４における容器３４ｂとをチューブを介して接続する。
このように、作業者は、食物栽培収納家具１を製造する。【００４１】
以上説明したように、実施例１の食物栽培収納家具１は、壁面の少なくとも一部が木材で構成されたキャビネット本体１２と、キャビネット本体１２内に設置されるトレー３４と、キャビネット本体１２内に設置され、植物の栽培に適した波長の光を照射する光源体３８と、少なくともキャビネット本体１２内壁面上に形成され、前記光源の波長の光で光触媒機能を発揮する光触媒層２０とを含み構成される。この構成により、食物栽培収納家具１は、筐体が木製であるキャビネット１０であるため、一般家庭の室内に配置しても既存の家具と同じように配置することができる。さらに、食物栽培収納家具１は、木製のキャビネット１０であるため、木材によるキャビネット１０内部の保温、及び、調湿を行うことが期待できる。【００４２】
また、実施例１の食物栽培収納家具１は、光源体３８が波長４４０ｎｍ〜４７０ｎｍを含む可視光を主として照射するＬＥＤライトであり、キャビネット本体１２の内壁面に可視光応答型の光触媒層２０が形成させている。この光触媒層２０は、光源体３８がＬＥＤライトである場合、波長０ｎｍ〜５４０ｎｍのうち、波長４４０ｎｍ〜４７０ｎｍの光で光触媒機能を発揮する酸化チタン系光触媒の塗布層である。この構成により、食物栽培収納家具１は、光源体３８の主とする波長領域と、光触媒層２０の反応波長領域とを略同じ領域とすることにより、光触媒層２０の光触媒機能を効率的に発揮させることができる。さらに、食物栽培収納家具１は、光源体３８の主とする波長領域と、栽培する植物の光合成において有効な光の波長領域と略同じ領域とすることにより、植物５０の光合成を促しさせ成長を促進させることができる。【００４３】
また、実施例１の食物栽培収納家具１は、開閉可能な大扉１２ｃ、及び、小扉１２ｄを含み構成され、大扉１２ｃには開口部１３およびパネル材１４を備えている。食物栽培収納家具１は、大扉１２ｃの開口部１３を介して見える位置にトレー３４を配置されている。この構成により、食物栽培収納家具１は、大扉１２ｃを開扉せずとも開口部１３およびパネル材１４を介して、使用者に対してキャビネット１０の内部配置されたレー３４を見せることができる。【００４４】
また、実施例１の食物栽培収納家具１は、キャビネット本体１２の内壁面は防水処理が施され、防水処理が施された内壁面に、既定量の界面活性剤を混合した光触媒コート剤を塗布して光触媒層２０を形成される。これにより、食物栽培収納家具１は、防水処理された木材であるキャビネット本体１２に光触媒層２０を安定して形成することができる。【００４５】
また、実施例１の食物栽培収納家具１は、キャビネット１０を構成する左側板１２ａ、及び、右側板１２ｂに外部と換気するための換気用ファン３６を備えることにより、キャビネット１０の内部に複数のトレー３４が設けられた場合でも、効率的にキャビネット１０の内部の空気を外気と入れ替えることができる。【００４６】
また、実施例１の食物栽培収納家具１は、植物５０の栽培を行わない場合には、キャビネット１０から、ラック３０またはトレー３４を取り除くことにより、収納家具として使用することができる。
【実施例２】
【００４７】
次に、実施例２に係る食物栽培収納家具１を説明する。
実施例２に係る食物栽培収納家具１は、上記実施例１と実質的に同様であるため、実施例１と異なる部分のみを説明する。なお実施例２では、上記実施例１と実質的に同一の機能、構成を有する要素については、同一の符号を付することにより重複説明を省略する。
図１３は、実施例２に係るキャビネット１０の構成を例示する斜視図である。
図１４は、実施例２に係るキャビネット１０を例示する正面図である。
図１３及び図１４に例示するように、実施例２に係るキャビネット１０は、脚部１２Ｈと、鏡１８とをさらに備えている。
（キャビネット本体１２）
キャビネット本体１２における小扉１２ｄは、キャビネット本体１２の下部に設けられている。小扉１２ｄは、１枚板の扉であり、端部を底板１２ｅと接続され、接続部分を軸として回転自在に接続されている。これにより、小扉１２ｄは、キャビネット本体１２の高さ方向において、上から下に向けて開扉でき、下から上に向けて閉扉することができる。小扉１２ｄは、主にラック３０における電源装置３６、酸素供給ポンプ３９、及び、タイマー４０を配置する部分の開閉を行う。また、小扉１２ｄは、開閉を行うために取手が取り付けられている。小扉１２ｄに取り付けられた取手は、横幅方向に、小扉１２ｄの長辺の長さと略同じ長さのものである。また、大扉１２ｃに取り付けられた取手は、高さ方向に、大扉１２ｃの長辺の長さと略同じ長さのものである。【００４８】
キャビネット本体１２における底板１２ｅは、キャビネット１０の外側に棒体であり円柱状の脚部１２Ｈが設けられている。底板１２ｅに設けられた脚部１２Ｈは、実施例１における脚部と同様に底板１２ｅが設置面と離間するために設けられている。脚部１２Ｈは、底板１２ｅの四隅に配置されており、それぞれが長さを調節することができる。脚部１２Ｈは、一方の端部に調節機構が備えられており、例えば、０ｍｍ〜１５ｍｍの間で伸縮することができる。これにより脚部１２Ｈは、キャビネット１０を設置するとき、キャビネット本体１２が傾かないよう脚の長さを調節することができる。また、脚部１２Ｈの長さは、６.５ｃｍ〜３２ｃｍであり、本例の脚部１２Ｈの長さは、１２ｃｍである。また、脚部１２Ｈは、金属部材で構成され、固定具（ボルト等）によって底板１２ｅに固定されている。【００４９】
図１３及び図１４に例示するように、キャビネット本体１２は、キャビネット本体１２の奥壁面である背面板１２ｇに鏡１８が設けられている。鏡１８は、大扉１２ｃの開口部１３を介して見える位置に設けられている。鏡１８は、キャビネット１０の内部にラック３０を収納した場合に、収納したラック３０の背面板１２ｇ側（奥手側）を見るために配置されている。鏡１８の大きさは、キャビネット１０の内部に配置したトレー３４の奥手側を確認できる大きさある。本例の鏡１８の大きさは、３つのトレー３４の奥手側を確認できる大きさある。なお、本例の鏡１８の高さ寸法は、例えば、１００ｃｍ〜１２０ｃｍであり、好ましくは、鏡１８の高さは、１１０ｃｍである。また、本例の鏡１８の横幅寸法は、例えば、５７ｃｍ〜６１ｃｍであり、好ましくは、鏡１８の横幅寸法は、５９ｃｍである。また、鏡１８は、各トレー３４に合わせてそれぞれ設けてもよい。
また、鏡１８は、鏡１８の表面に光触媒層２０を形成されてもよい。鏡１８は、光触媒層２０を形成されることにより、例えば、鏡１８の防曇効果、防汚効果が期待できる。【００５０】
図１５は、キャビネット１０の内部における背面板１２ｇ側の見え方を説明する模式図である。
図１５に例示するように、使用者は、パネル材１４を介してキャビネット１０の内部を見ることができる。使用者は、パネル材１４側（手前側）において、パネル材１４を介してトレー３４に配置された植物５０を見ることができる。また、使用者は、背面板１２ｇ側（奥手側）において、鏡１８が背面板１２ｇに設けられているため、鏡１８を介して植物５０の奥手側を見ることができる。
これにより、使用者は、植物５０の奥手側を見るために、キャビネット１０内部に配置されたトレー３４をキャビネット１０から取り出すことなく、鏡１８を介して植物５０の奥手側を確認することができる。
以上、本発明に係る実施形態について説明したが、これらに限定されるものではなく、発明の趣旨を逸脱しない範囲内において、種々の変更、追加等が可能である。
【変形例１】
【００５１】
次に、変形例を説明する。
なお、変形例では、上記実施例と実質的に同一の機能、構成を有する要素については、同一の符号を付することにより重複説明を省略し、上記実施例と異なる部分のみを説明する。
本変形例１は、図１６〜図２１を用いて説明する。
本変形例１の食物栽培収納家具２は、キャビネットとラックとを一体的に構成し、ラックに壁面材と開閉扉とを設けた構造としている。
食物栽培収納家具２は、ラック８０、換気用ファン１６、鏡１８、トレー３４、電源装置３６、光源体３８、酸素供給ポンプ３９、及び、タイマー４０を備えている。食物栽培収納家具２は、その内外壁面上に、光触媒層２０（後述）が形成されている。
【００５２】
図１６は、変形例１に係る食物栽培収納家具２の斜視図である。
図１７は、変形例１に係る食物栽培収納家具２の正面図である。
図１８は、変形例１に係る食物栽培収納家具２の背面図である。
図１９は、変形例１に係る食物栽培収納家具２の右側面図である。
図２０は、変形例１に係る食物栽培収納家具２の平面図及び底面図である。
図２１は、変形例１に係る食物栽培収納家具２の内部を例示する断面図である。
なお、図１９において、左側面図は右側面図と対称につき省略する。また、図２０において、図２０（Ａ）は平面図であり図２０（Ｂ）は底面図である。また、図２１は、図１７のＺ−Ｚ断面図である。
［ラック８０］
図１６〜図２１に例示するように、ラック８０は、ラック本体８１、壁面材８２、及び、扉材８３を備えている。
（ラック本体８１）
ラック本体８１は、金属部材で構成された枠体である。ラック本体８１は、例えば、ステンレス鋼、又は、スチール（鋼）である。ラック本体８１は、トレー３４を収納する複数の収納空間を備えており、本変形例１のラック本体８１は、トレー３４を収納する空間を３段備えている。なお、ラック本体８１は、トレー３４を収納する空間を１段〜３段に適宜変更することができる。
また、ラック本体８１は、壁面材８２を枠体の隙間空間に嵌め込まれている。これにより、ラック本体８１は、棚として機能する。
【００５３】
（壁面材８２）
壁面材８２は、左側板１２ａ、右側板１２ｂ、底板１２ｅ、天板１２ｆ、背面板１２ｇ、及び、棚板１２ｈを備え、ラック本体８１の隙間空間にそれぞれ嵌め込まれている。
壁面材８２は、例えば、合板であり、具体的にはポリ合板である。なお、壁面材８２は、化粧加工を施してもよい。
左側板１２ａは、ラック本体８１の左側面にある複数の隙間空間に嵌め込まれている。本変形例１の左側板１２ａは、ラック本体８１の左側面にある４つの隙間空間にそれぞれ嵌め込まれている。
また、右側板１２ｂは、ラック本体８１の右側面にある複数の隙間空間に嵌め込まれている。本変形例１の右側板１２ｂは、左側板１２ａと同様に、ラック本体８１の右側面にある４つの隙間空間にそれぞれ嵌め込まれている。
また、底板１２ｅは、ラック本体８１の底面にある隙間空間に嵌め込まれている。
また、天板１２ｆは、ラック本体８１の天面にある隙間空間に嵌め込まれている。
また、背面板１２ｇは、ラック本体８１の背面にある隙間空間に嵌め込まれている。
また、棚板１２ｈは、ラック本体８１の天面及び底面と並行して設けられ、複数の隙間空間に嵌め込まれている。棚板１２ｈは、ラック本体８１に嵌め込めることにより、載置されたトレー３４を支持することができる。本変形例１の棚板１２ｈは、３つの隙間空間に嵌め込まれている。また、棚板１２ｈの最下段の外側に電源装置３６、酸素供給ポンプ、及び、タイマー４０等を収納する収納箱９０を配置されている。
【００５４】
（扉材８３）
扉材８３は、大扉１２ｃを備えている。
大扉１２ｃは、透明な板材であり、具体的には、透明なガラス材、または、透明な合成樹脂材で形成された板材である。なお、本変形例１の透明なガラス材である。大扉１２ｃは、透明であることにより、大扉１２ｃを閉扉した状態であっても、ラック本体８１内部に載置されたトレー３４を視認することができる。また、大扉１２ｃは、大扉１２ｃの一端を軸として開閉する片開き戸であり、トレー３４を収納する空間を塞ぐ大きさである。本変形例１の大扉１２ｃは、トレー３４を収納する空間３段分の開口を塞ぐ大きさの扉である。また、大扉１２ｃは、取っ手が取り付けられ、これを用いて開閉することができる。
また、ラック本体８１の最下段に配置され、電源装置３６、酸素供給ポンプ、及び、タイマー４０等を収納する収納箱９０の開口を塞ぐ大きさの扉である小扉１２ｄを設けてもよい。
このようにラック８０は、ラック本体８１、壁面材８２、及び、扉材８３を備えている。
【００５５】
［換気用ファン１６］
図１６及び図２１に例示するように、換気用ファン１６は、トレー３４を収納する棚板１２ｈのうち最下に位置する棚板１２ｈに設けられている。具体的には、換気用ファン１６は、最下に位置する棚板１２ｈに設けられた収納箱９０に納められている。また、換気用ファン１６を設けられた最下に位置する棚板１２ｈには、換気用ファン１６を配置する位置に複数の貫通孔６０を設けられている。換気用ファン１６は、貫通孔６０を介して、トレー３４を収納する空間からラック８０の外部に空気を排出する。また、換気用ファン１６は、棚板１２ｈに限定するものではなく、背面板１２ｇに設けられてもよい。
［鏡１８］
図１６及び図２１に例示するように、鏡１８は、背面板１２ｇに設けられている。鏡１８は、トレー３４を収納するそれぞれの棚の奥壁面に設けられている。なお、背面板１２ｇに換気用ファン１６を配置する場合、鏡１８は、換気用ファン１６による空気の流れを妨げないよう配置されている。言い換えると、鏡１８は、背面板１２ｇと鏡１８との間の距離が空気を通すことのできる距離の間隔をあけて配置されている。なお、鏡１８は、換気用ファン１６と接触しないことが望ましい。また、鏡１８は、背面板１２ｇとの間に離間部材を設けてもよい。
【００５６】
［光源体３８］
図２１に例示するように、光源体３８は、波長４４０ｎｍ〜４７０ｎｍを含む可視光を主として照射するＬＥＤライトであり、板材に複数配列されている（パネル式）。光源体３８は、板材に複数配列しパネル状にすることにより、ラック本体８１に容易に配置することができる。本変形例１の光源体３８は、白色のＬＥＤであり、防水処理を施されている。光源体３８は、トレー３４を収納するそれぞれの棚の上面側に配置されている。
［電源装置３６、酸素供給ポンプ３９、及び、タイマー４０］
電源装置３６、酸素供給ポンプ、及び、タイマー４０は、換気用ファン１６と同様に、トレー３４を収納する棚板１２ｈのうち最下に位置する棚板１２ｈに設けられている。具体的には、最下に位置する棚板１２ｈに設けられた収納箱９０に納められている。パンチングメタルにより箱状に構成された収納箱９０に納められている。
なお、電源装置３６、酸素供給ポンプ、及び、タイマー４０は、上記実施例と実質的に同一の機能、構成を有するため、その説明を省略する。
【００５７】
次に、ラック８０における内外壁面上に形成された光触媒層２０を説明する。
光触媒層２０は、上記実施例と同様に、光触媒物質を塗布し形成された光触媒の塗布層であり、酸化チタン系の光触媒を塗布し形成された層である。本変形例１の光触媒層２０は、ラック８０における内壁面上だけでなく、外壁面上にも形成される。
［光触媒層２０］
光触媒層２０は、ラック８０における内外壁面上に形成された光触媒の塗布層である。光触媒層２０は、ラック本体８１、左側板１２ａ、右側板１２ｂ、大扉１２ｃ、底板１２ｅ、天板１２ｆ、背面板１２ｇ、及び、棚板１２ｈにおけるラック８０の内壁面上と外壁面上とに形成されている。また、光触媒層２０は、鏡１８表面にも形成されている。
光触媒層２０は、上記実施例と同様に、例えば、０ｎｍ〜５４０ｎｍの波長領域において光触媒として機能する。光触媒層２０は、可視光応答型の光触媒で形成された層であり、室内環境に配置された蛍光灯や屋外からの光であっても光触媒として機能する。そのため、光触媒層２０は、主に３８０ｎｍ〜５４０ｎｍの波長領域において光触媒として機能する。光触媒層２０は、光源体３８がＬＥＤライトである場合、波長４４０ｎｍ〜４７０ｎｍの光で光触媒機能を発揮する酸化チタン系光触媒の塗布層である。
また、本変形例１の光触媒層２０は、ラック８０を組み立てた状態で、ラック８０の内壁面側に防水剤を塗布し乾燥後（防水処理）、光触媒コート剤をラック８０の内壁面及び外壁面に吹付けて塗布し乾燥させることにより、ラック８０の内壁面及び外壁面に形成される。この光触媒コート剤とは、例えば、銀系酸化チタンコーティング剤であるレインボーマジック（登録商標）、および、可視光型光触媒酸化チタンコーティング剤であるレインボーマジック（登録商標）Ｓである。これら２つの光触媒コート剤を併用することより、光触媒作用に加えて銀の抗菌作用が期待できる。これにより、光触媒層２０は、内外壁面において、光が当らずとも銀の抗菌作用が期待できる。なお、本変形例１では、抗菌作用のある金属として銀を含む光触媒コート剤であったが、これに限定するものではなく、銅、又は、亜鉛を含む光触媒コート剤であってもよい。
また、光触媒コート剤は、吹付けにより塗布面に塗布するため、界面活性剤を光触媒コート剤に混合することなく、光触媒層２０を形成することができる。
このように、本変形例１に係る食物栽培収納家具２は、ラック８０、換気用ファン１６、鏡１８、トレー３４、電源装置３６、光源体３８、酸素供給ポンプ、及び、タイマー４０を含み構成され、その内外壁面上に、光触媒層２０が形成されている。
【符号の説明】
【００５８】
１      食物栽培収納家具
１０    キャビネット
１２    キャビネット本体
１３    開口部
１４    パネル材
１６    換気用ファン
２０    光触媒層
３０    ラック
３２    ラック本体
３４    トレー
３６    電源装置
３８    光源体
３８ａ  光
３９    酸素供給ポンプ
４０    タイマー
５０    植物
【図１】
2017033523.tif 000003
【図２】
2017033523.tif 000004
【図３】
2017033523.tif 000005
【図４】
2017033523.tif 000006
【図５】
2017033523.tif 000007
【図６】
2017033523.tif 000008
【図７】
2017033523.tif 000009
【図８】
2017033523.tif 000010
【図９】
2017033523.tif 000011
【図１０】
2017033523.tif 000012
【図１１】
2017033523.tif 000013
【図１２】
2017033523.tif 000014
【図１３】
2017033523.tif 000015
【図１４】
2017033523.tif 000016
【図１５】
2017033523.tif 000017
【図１６】
2017033523.tif 000018
【図１７】
2017033523.tif 000019
【図１８】
2017033523.tif 000020
【図１９】
2017033523.tif 000021
【図２０】
2017033523.tif 000022
【図２１】
2017033523.tif 000023
【国際調査報告】
2017033523.tif 000024
2017033523.tif 000025
2017033523.tif 000026
2017033523.tif 000027